(57)【要約】      （修正有）【課題】中心に針によるきず穴を残すことがなく、かつ小さい円を描くことができる円作成具を提供する。【解決手段】円作成具Ａは、外枠プレート１０と、外枠プレートの内側に回転摺動自在に装着した回転プレート２０と、筆記具３０を取付けて筆記具の先端を回転プレートの回転中心から回転半径方向に移動させる移動体４０とを備え、回転プレートには、すくなくとも筆記具と移動体とを移動させる移動範囲だけ穿設させた穿設部５０と、穿設部に移動体を案内移動する案内溝６０と、回転中心位置を示すマーク７０ａを描いた透明板７０とを配置し、透明板を、回転プレートの回転中心に透明板の回転中心位置マークを合致させる合致位置と、回転プレートの回転中心部に筆記具を移動させる時に透明板を回転プレートの回転中心から退避させる退避位置とに移動可能に構成した。【選択図】  図１
0003212327.tif 000002
【実用新案登録請求の範囲】
【請求項１】
外枠プレートと、外枠プレートの内側に回転摺動自在に装着した回転プレートと、筆記具を取付て当該筆記具の先端を回転プレートの回転中心から回転半径方向に移動させる移動体とを備え、当該回転プレートには、すくなくとも前記筆記具と移動体とを移動させる移動範囲だけ穿設させた穿設部と、当該穿設部に前記移動体を案内移動する案内溝と、回転中心位置を示すマークを描いた透明板とを配置した円作成具であって、
前記透明板は、回転プレートの回転中心に透明板に描いた回転中心位置を示すマークを合致させた合致位置と、回転プレートの回転中心部に筆記具を移動させる時に前記透明板を回転プレートの回転中心部から退避させる退避位置とに移動可能に構成したことを特徴とする円作成具。
【請求項２】
請求項1において、回転摺動自在に装着させた外枠プレートと回転プレート間には、ラジアルベアリングとスラストベアリングを配置したことを特徴する円作成具。
【請求項３】
請求項１または請求項２において、前記透明板を前記移動体に取付け、移動体を移動させることで透明板を前記合致位置と退避位置に移動させるようにしたことを特徴とする円作成具。
【請求項４】
請求項３において、前記移動体を案内溝の一端まで移動させた時に前記透明板が合致位置になるようにしたことを特徴とする円作成具。
【考案の詳細な説明】
【技術分野】
【０００１】
本考案は、コンパスで円を描く時のように中心に針によるきず穴を残さないで任意の大きさの円を描ける円作成具に関するものである。
【背景技術】
【０００２】
この種の円作成具として図１３に図示する円作成器具１００が公知である。この円作成器具１００は次のように構成している。外枠プレート２００に回転プレート３００を回転摺動自在に装着し、回転プレート回転半径方向に案内溝４００を穿設し、案内溝４００に沿って回転半径方向に摺動自在な筆記具保持器５００を設けている。
【０００３】
案内溝４００は、回転プレート３００の回転中心から半径方向に向かう直線上に穿設されている。案内溝４００の一端側で回転プレート３００の回転中心部には透明板４００ａが取付けられ、この透明板４００ａの表面には十字状に中心合わせ線４００ｂが描かれており、この透明板４００ａは、回転プレート３００の中心に一致するように調整して取付けられている。
【０００４】
筆記具保持器５００は筆記具５００aを固定保持している。そして、筆記具５００aのペン先が目的の円の半径位置となるよう、筆記具保持器５００を回転プレート３００の回転中心から半径方向に案内溝４００に沿って回転半径方向に摺動させ、回転プレート３００を回転させて筆記具保持器５００に固定保持した筆記具５００aのペン先で目的の円を描くようにしている。
【０００５】
このように構成した円作成器具１００で円を作成するために、まず作成する円の中心位置に透明板４００ａの十字状の中心が合致するように円作成器具１００を移動させる。そして、筆記具５００aのペン先が目的の円の半径位置となるよう、筆記具保持器５００を回転プレート３００の回転中心から半径方向に案内溝４００に沿って回転半径方向に摺動させ、回転プレート３００を回転させて筆記具保持器５００に固定保持した筆記具５００aのペン先で目的の円を描くものである。(特許文献１)
【先行技術文献】
【特許文献】
【０００６】
【特許文献１】特開平５−２８６２９９号公報
【考案の概要】
【考案が解決しようとする課題】
【０００７】
ところが、このような円作成器具１００で小さい円を描くためには筆記具５００aのペン先を回転プレート３００の回転中心部にまで移動させる必要があるが、回転プレート３００の回転中心部には透明板４００ａを取付けてあるものだから、筆記具５００aのペン先を回転プレート３００の回転中心部にまで移動させることが出来ず、小さい円を描くことが出来ないのである。
本考案は、このような課題を解決した円作成具を提供することを目的とする。
【課題を解決するための手段】
【０００８】
請求項１の円作成具は、外枠プレートと、外枠プレートの内側に回転摺動自在に装着した回転プレートと、筆記具を取付て当該筆記具の先端を回転プレートの回転中心から回転半径方向に移動させる移動体とを備え、当該回転プレートには、すくなくとも前記筆記具と移動体とを移動させる移動範囲だけ穿設させた穿設部と、当該穿設部に前記移動体を案内移動する案内溝と、回転中心位置を示すマークを描いた透明板とを配置した円作成具であって、前記透明板は、回転プレートの回転中心に透明板に描いた回転中心位置を示すマークを合致させた合致位置と、回転プレートの回転中心部に筆記具を移動させる時に前記透明板を回転プレートの回転中心部から退避させる退避位置とに移動可能に構成したことを特徴とするものである。
【０００９】
請求項２の円作成具は、請求項1において、回転摺動自在に装着させた外枠プレートと回転プレート間には、ラジアルベアリングとスラストベアリングを配置したことを特徴する。
【００１０】
請求項３の円作成具は、請求項１または請求項２において、前記透明板を前記移動体に取付け、移動体を移動させることで透明板を前記合致位置と退避位置に移動させるようにしたことを特徴とする。
【００１１】
請求項４の円作成具は、請求項３において、前記移動体を案内溝の一端まで移動させた時に前記透明板が合致位置になるようにしたことを特徴とする。
【考案の効果】
【００１２】
請求項１に係る本考案の円作成具は、透明板を、回転プレートの回転中心に透明板に描いた回転中心位置を示すマークを合致させた合致位置と、回転プレートの回転中心部に筆記具を移動させる時に前記透明板を回転プレートの回転中心部から退避させる退避位置とに移動可能に構成してあるものだから、透明板を合致位置に移動させて目的の円の中心位置に透明板のマークを合致させることができ、その後、透明板を退避位置に移動させれば回転プレートの回転中心部に筆記具を移動させることが出来る。したがって、小さい円を描く時に、筆記具を回転プレートの回転中心部にまで移動させることが出来、小さい円を描けるのである。
【００１３】
請求項２に係る本考案の円作成具は、回転摺動自在に装着させた外枠プレートと回転プレート間には、ラジアルベアリングとスラストベアリングを配置したものであるから、外枠プレートに対する回転プレートの回転摺動を滑らかに回転支持することが出来る
【００１４】
請求項３に係る本考案の円作成具は、透明板を前記移動体に取付け、移動体を移動させることで透明板を前記合致位置と退避位置に移動させるようにしたものであるから、移動体を移動させて、透明板を前記合致位置に移動させるとともに、透明板を退避位置に移動して筆記具を回転プレートの回転中心部にまで移動させることが出来る。
【００１５】
請求項４に係る本考案の円作成具は、前記移動体を案内溝の一端まで移動させた時に前記透明板が合致位置になるようにしたものであるから、移動体を案内溝の一端まで移動させるだけで、透明板を合致位置に位置させることが出来る。
【図面の簡単な説明】
【００１６】
【図１】本考案の円作成具Ａを説明する説明図で、円作成具Ａの平面図で合致状態を示す図である。
【図２】本考案の円作成具Ａを説明する説明図で、円作成具Ａの平面図で退避状態を示す図である。
【図３】図２のＸ−Ｘ矢視断面図である。
【図４】移動体４０に筆記具３０の取付けを説明する説明図および移動体４０の移動ロックを説明する説明図であり、（ａ）は、筆記具３０にスプリング４５を挿入した図、（ｂ）は、移動体４０の拡大平面図、（ｃ）は、図４の（ｂ）のＹ−Ｙ矢視断面図、（ｄ）は、図４の（ｂ）におけるＴ−Ｔ矢視断面図で、移動体４０の移動ロックを説明する説明図である。
【図５】本考案の他の実施形態である円作成具Ｂを説明する説明図で、円作成具Ｂの平面図で合致状態を示す図である。
【図６】本考案の他の実施形態である円作成具Ｂを説明する説明図で、円作成具Ｂの平面図で退避状態を示す図である。
【図７】図６のＺ−Ｚ矢視断面図である。
【図８】図８のＷ−Ｗ矢視断面図である。
【図９】本考案の他の実施形態である円作成具Ｃを説明する説明図で、円作成具Ｃの平面図で合致状態を示す図である。
【図１０】本考案の他の実施形態である円作成具Ｃを説明する説明図で、円作成具Ｃの平面図で退避状態を示す図である。
【図１１】図９のＶ−Ｖ矢視断面図である。
【図１２】図６のＵ−Ｕ矢視断面図である。
【図１３】従来の円作成具を説明する説明図である。
【考案を実施するための形態】
【００１７】
本考案の円作成具は、円を作成する時に次のようにして使用する。まず、透明板を、回転プレートの回転中心に位置するよう、透明板に描いた回転中心位置を示すマークを合致させた合致位置まで移動させる。そして目的の円を描く中心に透明板のマークを合致するよう円作成具を移動させる。次に、透明板を、回転プレートの回転中心部から退避させる退避位置に移動させ、移動体を案内溝に沿って移動させて筆記具を目的の円の半径に合わせる。この時に、透明板は退避位置に移動させているものだから、回転プレートの回転中心部まで筆記具を移動させることが出来る。そして、この状態で外枠プレートに対して回転プレートを摺動回転させることで、目的の円を描くことが出来る。
【００１８】
特に、移動体を案内溝に沿って移動させて筆記具を目的の円の半径に合わせる時に、透明板を、回転プレートの回転中心部から退避させる退避位置に移動させているものだから、筆記具を回転プレートの回転中心部にまで移動させることができ、小さい円を描くようにすることができる円作成具を提供することができる。
【実施例】
【００１９】
本考案の円作成具Ａの実施例を図１〜図４に図示し以下に説明する。図１および図２は、本考案の円作成具Ａを説明する説明図で、円作成具Ａの平面図である。そして、図１は後述する合致位置を示した図であり、図２は退避位置を示した図である。図３は、図２のＸ−Ｘ矢視断面図で、図４は、移動体４０に筆記具３０の取付けを説明する説明図ならびに移動体４０のロックを説明する説明図であって、図４の（ａ）は、筆記具３０にスプリング４５を挿入した図で、図４の（ｂ）は、移動体４０の拡大平面図で、図４の（ｃ）は、図４の（ｂ）のＹ−Ｙ矢視断面図である。図４の（ｄ）は、図４の（ｂ）におけるＴ−Ｔ矢視断面図で、移動体４０のロックを説明する説明図である。
【００２０】
図１および図２に示すように、円作成具Ａは、外枠プレート１０と、外枠プレート１０の内側に回転摺動自在に装着した回転プレート２０と、筆記具３０を取付て当該筆記具３０の先端を回転プレート２０の回転中心から回転半径方向に移動させる移動体４０とを備え、当該回転プレート２０には、すくなくとも前記筆記具３０と移動体４０とを移動させる移動範囲だけ穿設させた穿設部５０と、当該穿設部５０に前記移動体４０を案内移動する案内溝６０と、回転中心位置を示すマーク７０ａを描いた透明板７０とを配置している。
【００２１】
外枠プレート１０は、内外径を有する円形環状のプレートで、プラスチック、アクリル等の合成樹脂で形成されている。回転プレート２０は、円形のプレートでプラスチック、アクリル等の合成樹脂で形成されており、外枠プレート１０の内側に回転プレート２０の外径を嵌め込み回転摺動自在に装着している。
【００２２】
図３に図示するように、外枠プレート１０と回転プレート２０間にはベアリング用球を
配置しており、外枠プレート１０に対する回転プレート２０の回転摩擦を低減させるとともに耐久性を向上させ、滑らかな回転支持ができるようにしている。
【００２３】
具体的にベアリングの配置について、図３に外枠プレート１０と回転プレート２０を断面で図示し以下に説明する。外枠プレート１０は下部プレート１１と上部プレート１２とに二分して、下部プレート１１の上に回転プレート２０を乗せるようにしており、下部プレート１１と回転プレート２０両者間の円周状にスラストベアリング用の球１３を複数個配置している。回転プレート２０の外側面側に上部プレート１２の内側面を嵌め込むに、上部プレート１２を上部プレート１２ａと上部プレート１２ｂとに二分して嵌め込むようにしており、回転プレート２０の外周面側と上部プレート１２の内周側間に円周状にラジアルベアリング用の球１４を複数個配置している。
【００２４】
そして、上部プレート１２ａ,１２ｂには、深座ぐり１５を円周状に複数設けてあり、下部プレート１１には上部プレート１２ａ,１２ｂの深座ぐり１５に対応してネジ穴を設けてあり、両プレート間に回転プレート２０を嵌め込んだ後、それぞれの深座ぐり１５とネジ穴に六角穴付きボルト１６を用いて外枠プレート１０を組み立てている。
【００２５】
上記の説明では、外枠プレート１０と回転プレート２０間にはベアリング用球を直接配置した場合を説明したが、両プレート間にラジアルベアリングとスラストベアリングを配置するようにしてもよい。また、上記ベアリングは、片方のみ配置するようにしてもよいし、あるいは配置しなくて直接外枠プレート１０と回転プレート２０を摺動回転させるようにしてもよい。
【００２６】
回転プレート２０の外縁上面には、回転プレート２０を回転させるための取手２０aを突出させて取付けている。この取手２０aを持って回転プレート２０を回転させるようにしている。
【００２７】
図１および図２に示すように、回転プレート２０に穿設した穿設部５０は、すくなくとも前記筆記具３０と移動体４０とを移動させる移動範囲だけ穿設させている。穿設部５０に設けた案内溝６０は断面がｃ形状の溝に形成されており、移動体４０に突設させた断面Ｔ形状の摺動体４１を案内溝６０に摺動可能に挿入し、移動体４０を回転プレート２０の回転中心部から回転半径方向に移動可能にし、案内溝６０の長さを移動体４０の移動範囲分だけの長さに設定してある。
【００２８】
図４に図示するように、前記移動体４０の中心部には筆記具３０を取付けるようにしてある。すなわち、移動体４０の中心部に筆記具３０を挿入して貫通させる穴４１を設け、穴４１の上部には内側に突出させた鍔４１ａを設けている。この鍔４１ａは、穴４１の下方から挿入した後述するスプリング４５が上方から抜け出るのを阻止する抜け止めとして機能させるものである。
【００２９】
この穴４１には、内面に１８０度ずらして対峙させた位置に下面から途中位置までの縦溝４２を二カ所設けるとともに、内面の全周にわたって横溝４３を設けている。そして、それぞれの縦溝４２、４２と横溝４３のそれぞれがクロスするようになっている。
【００３０】
筆記具３０は、外側に１８０度ずらした対峙位置に突起３０ａ、３０ｂを設けており、この突起３０ａ、３０ｂは縦溝４２、４２と横溝４３に沿って移動可能なように大きさを設定してある。
【００３１】
筆記具３０を移動体４０に取付けは次のようにして行われる。まず、図４の（ａ）に図示するように、筆記具３０の上方からコイルバネからなるスプリング４５を挿入し、移動体４０の穴４１の下方から筆記具３０の上方を挿入し、筆記具３０の突起３０ａ、３０ｂを縦溝４２、４２に合わせて、さらに筆記具３０を上方に移動させる。この時、筆記具３０は、スプリング４５により下方向きの付勢力を受けるが、この付勢力に抗して筆記具３０を上方に移動させる。
【００３２】
筆記具３０の突起３０ａ、３０ｂが、横溝４３に達した時に、筆記具３０を９０度回転させて横溝４３に沿って突起３０ａ、３０ｂを移動させ、上記スプリング４５による下方向きの付勢力に対して横溝４３に突起３０ａ、３０ｂを係止させる。この状態では、移動体４０に取付けた筆記具３０のペン先３１は、円を描く紙面から浮き上がった状態になっている。すなわち、この状態では筆記具３０によって円を描けない状態で移動体４０に筆記具３０を取付けている。
【００３３】
次に、筆記具３０を先ほどと逆に９０度回転させ、横溝４３に沿って突起３０ａ、３０ｂを移動して、突起３０ａ、３０ｂを縦溝４２、４２に合わせる。そして、スプリング４５による下方向きの付勢力を受けて筆記具３０の突起３０ａ、３０ｂが縦溝４２、４２に沿って下降させる。この状態では、移動体４０に取付けた筆記具３０のペン先３１は、スプリング４５による下方向きの付勢力を受けて円を描く紙面上に当接した状態になっている。すなわち、この状態では筆記具３０によって円を描ける状態で移動体４０に筆記具３０を取付けている。
【００３４】
図４の（ｄ）に図示するように、移動体４０に取付けた筆記具３０と直交する方向で、筆記具３０と干渉しないよう移動体４０中心から透明板７０を取付けた側に偏った位置にロックボルト４５をねじ込むネジ穴４５aを設けており、このネジ穴４５aは摺動体４１を貫通して案内溝６０にまでロックボルト４５が到達するようにしている。そしてロックボルト４５をネジ穴４５aにねじ込んで、ロックボルト４５の先端が摺動体４１を貫通して案内溝６０まで達すると、このロックボルト４５が摺動体４１と案内溝６０間に干渉して、移動体４０が案内溝６０に沿って移動するのをロックさせるようにしている。
【００３５】
図１および図２に示すように、移動体４０の上面で前記案内溝６０に対峙する側の中央位置には、目印４６を刻んでいる。そして案内溝６０の上面で移動体４０に対峙する側には、描く円の直径を示す目盛６１を刻んでいる。この目盛６１は、移動体４０に取付けた筆記具３０のペン先３１が、回転プレート２０の回転中心に位置するよう移動体４０を案内溝６０に沿って移動させた時に、移動体４０の目印４６に対峙した案内溝６０の上面側の目盛６１を起点に回転半径方向に目盛６１を等間隔(例えば０．５ｍｍ間隔)で刻んでおり、この目盛６１は描く円の直径を示しているもので、この目盛６１に合わせて移動体４０を案内溝６０に沿って移動させれば、描く円の直径を定めて筆記具３０のペン先３１の位置を移動させることができるようにしてある。
【００３６】
図１に図示するように、透明板７０は、前記移動体４０の側面に取付けられたプラスチック、アクリル等の合成樹脂からなる透明な板で、透明板７０には回転中心位置を示すマーク７０ａとして十字線が描かれている。この十字線の交点に回転プレート２０の回転中心を合致させるように、前記移動体４０を移動させるようにしている。すなわち、案内溝６０の一端６０aにまで前記移動体４０の摺動体４１を移動させた時に、透明板７０の十字線の交点が回転プレート２０の回転中心に合致する合致位置となるようにしてある。
【００３７】
図２に図示するように、前記移動体４０の摺動体４１を案内溝６０の一端６０aに当接させた上記合致位置から、前記移動体４０を案内溝６０の他端６０ｂ側に移動させると、前記移動体４０に取付けた透明板７０は、回転プレート２０の回転中心部から離れて、回転半径方向に退避させる退避位置に移動させることができる。すなわち、回転プレート２０の回転中心部から透明板７０を移動させて筆記具３０のペン先３１を回転プレート２０の回転中心部に移動させることができ、小さい円を描くことができるようにしたものである。
【００３８】
このように構成した本考案の円作成具Ａは、円を作成する時に次のようにして使用する。まず、筆記具３０の突起３０ａ、３０ｂをスプリング４５による下方向きの付勢力に対して横溝４３に係止させて、移動体４０に取付けた筆記具３０のペン先３１を、円を描く紙面から浮き上がった状態にしておく。ロックボルト４５を緩めておき、案内溝６０の一端６０aにまで前記移動体４０の摺動体４１を移動させて、透明板７０を回転プレート２０の回転中心に、透明板７０に描いた回転中心位置を示すマーク７１ａを合致さる合致位置まで移動させる。そして、ロックボルト４５を締めて合致位置で移動体４０が移動しないようロックする。その後、目的の円を描く中心に透明板７０のマーク７０ａを合致するよう円作成具Ａを移動させる。
【００３９】
次に、ロックボルト４５を緩めて、透明板７０を、回転プレート２０の回転中心部から退避させる退避位置に移動させ、移動体４０を案内溝６０に沿って移動させて、目的の円の半径の目盛６１に移動体４０の目印４６を合わせる。この時に、透明板７０は退避位置に移動させているものだから、回転プレート２０の回転中心部まで筆記具３０を移動させることが出来る。そして、ロックボルト４５を締めて移動体４０を固定状態にする。筆記具３０を先ほどと逆に９０度回転させ、横溝４３に沿って突起３０ａ、３０ｂを移動して、突起３０ａ、３０ｂを縦溝４２、４２に合わせ、筆記具３０をプリング４５による下方向きの付勢力を受けて筆記具３０の突起３０ａ、３０ｂが縦溝４２、４２に沿って下降させる。すなわち、移動体４０に取付けた筆記具３０のペン先３１を、スプリング４５による下方向きの付勢力を受けて円を描く紙面上に当接した状態にする。そして、この状態で外枠プレート１０に対して回転プレート２０を取手２０ａを持って摺動回転させることで、目的の円を描くことが出来る。
【００４０】
特に、移動体４０を案内溝６０に沿って移動させて筆記具３０を目的の円の半径に合わせる時に、透明板７０を、回転プレート２０の回転中心部から退避させる退避位置に移動させているものだから、筆記具３０を回転プレート２０の回転中心部にまで移動させることができ、小さい円を描くようにすることができる円作成具Ａを提供することができる。
【００４１】
上記円作成具Ａの実施形態では、図１〜図４に図示するように移動体４０の一側面に透明板７０を取付けたが、図５〜図８に図示するように、回転プレート２０の穿設部５０の一端部に蝶番２１を介して１８０度回転自在に透明板７１を取付けるようにしたものであってもよい。以下この場合の円作成具Ｂの実施形態について図５〜図８に基づいて説明する。
【００４２】
円作成具Ｂは、回転プレート２０の穿設部５１の一端５１ａに蝶番２１を介して１８０度回転自在に透明板７１を取付けている。そして、図５および図７に図示するように、透明板７１を穿設部５１側に倒した場合には、透明板７１のマーク７１ａの十字線の交点に回転プレート２０の回転中心が位置するように取付けられており、この状態を合致位置とし、透明板７１を穿設部５１側と反対側に倒した場合には、透明板７１を回転プレート２０の回転中心部から離れ、この状態を退避位置とするようにしてある。
【００４３】
一方、円作成具Ａの穿設部５０の案内溝６０は、移動体４０の一側側に取付けた透明板７０を回転プレート２０の回転中心にまで移動させる必要から、移動体４０が回転プレート２０の回転中心を超えて移動するように、その分長くして案内溝６０の一端６０ａを設けている。ところが、図８に図示するように、円作成具Ｂは透明板７１を穿設部５１側と反対側に倒して、透明板７１を回転プレート２０の回転中心部から離れた退避位置とするようにしているものであるから、透明板７１を移動させるために移動体４０を移動させる必要がない。すなわち、移動体４０に取付けた筆記具３０のペン先３１が回転プレート２０の回転中心に位置するように、移動体４０を案内溝６２の一端６２ａまで移動させるようにしておけばよく、円作成具Ａの案内溝６０に比較して円作成具Ｂの案内溝６２をその分長さを短くしている。
【００４４】
このように円作成具Ｂは円作成具Ａと違っているが、この違った点以外は円作成具Ａと同じであるので、以下の説明では同じ点については同符号を用い詳細な説明は省略する。このように構成した円作成具Ｂは、次のように作用する。まず、筆記具３０の突起３０ａ、３０ｂをスプリング４５による下方向きの付勢力に対して横溝４３に係止させて、移動体４０に取付けた筆記具３０のペン先３１を、円を描く紙面から浮き上がった状態にしておく。
【００４５】
ロックボルト４５を緩めて、移動体４０を回転プレート２０の回転中心部から離間させて、ロックボルト４５を締めて移動体４０を固定しておく。透明板７１を穿設部５１側に倒し、透明板７１のマーク７１ａの十字線の交点に回転プレート２０の回転中心が位置する合致位置にする。そして、目的の円を描く中心に透明板７０のマーク７１ａを合致するよう円作成具Ｂを移動させる。
【００４６】
次に、図８に図示するように、透明板７１を穿設部５１側と反対側に１８０度回転して倒し、透明板７１を回転プレート２０の回転中心部から離れた退避位置する。その後、移動体４０を案内溝６２に沿って移動させて、目的の円の半径の目盛６３に移動体４０の目印４６を合わせる。この時に、透明板７１は退避位置に移動させているものだから、回転プレート２０の回転中心部まで筆記具３０を移動させることが出来る。そして、ロックボルト４５を締めて移動体４０を固定しておく。筆記具３０を先ほどと逆に９０度回転させ、横溝４３に沿って突起３０ａ、３０ｂを移動して、突起３０ａ、３０ｂを縦溝４２、４２に合わせ、筆記具３０をプリング４５による下方向きの付勢力を受けて筆記具３０の突起３０ａ、３０ｂが縦溝４２、４２に沿って下降させる。すなわち、移動体４０に取付けた筆記具３０のペン先３１を、スプリング４５による下方向きの付勢力を受けて円を描く紙面上に当接した状態にする。この状態で外枠プレート１０に対して回転プレート２０を取手２０ａを持って摺動回転させることで、目的の円を描くことが出来る。
【００４７】
特に、円作成具Ｂにおいても、透明板７１を穿設部５１側に倒し、透明板７１のマーク７１ａの十字線の交点に回転プレート２０の回転中心が位置する合致位置と、透明板７１を穿設部５１側と反対側に倒し透明板７１を回転プレート２０の回転中心部から離れた退避位置とするようにしてあるものだから、筆記具３０を回転プレート２０の回転中心部にまで移動させることができ、小さい円を描くようにすることができる円作成具を提供することができる。
【００４８】
上記円作成具Ｂの実施形態では、図５〜図８に図示するように回転プレート２０の穿設部５０の一端部に蝶番２１を介して１８０度回転自在に透明板７１を取付け、合致位置と退避位置に移動させるようにしたが、直接移動体４０の一側部に蝶番４７を介して１８０度回転自在に透明板７２を取付けて合致位置と退避位置に移動させるようにしてもよい。以下この場合の円作成具Ｃの実施形態について図９〜図１２に基づいて説明する。
【００４９】
円作成具Ｃは、直接移動体４０の一側部に蝶番４７を介して１８０度回転自在に透明板７２を取付けている。そして、図９および図１１に図示するように、移動体４０から筆記具３０を取り外した状態で、透明板７２を移動体４０側に回転して倒し、移動体４０の上面に透明板７２を乗せた状態に移動させる。すると、移動体４０の中心（移動体４０に筆記具３０を取付けた時のペン先位置）に透明板７２に描かれたマーク７２ａ（十字線の交点）を位置させた状態になる。
【００５０】
また、移動体４０は円作成具Ｂの場合と同様に、移動体４０を案内溝６２の一端６２ａまで移動させた時に、移動体４０に取付けた筆記具３０のペン先３１が回転プレート２０の回転中心に位置するようにしてある。  
【００５１】
したがって、図９および図１１に図示するように、移動体４０を案内溝６２の一端６２ａまで移動させ、移動体４０から筆記具３０を取り外した状態で、透明板７２を移動体４０側に回転して倒し、移動体４０の上面に透明板７２を乗せた状態に移動させると、移動体４０の中心（移動体４０に筆記具３０を取付けた時のペン先位置）に透明板７２に描かれたマーク７２ａを回転プレート２０の回転中心に合致する合致位置にすることができる。
【００５２】
そして、図１０および図１２に図示するように、透明板７２を移動体４０側と反対側に回転して倒した状態にし、移動体４０に筆記具３０を取付ければ、移動体４０に取付けた筆記具３０のペン先３１が回転プレート２０の回転中心に位置させることができる。すなわち、この時は透明板７２を回転プレート２０の回転中心部から退避させる退避位置に移動させ、移動体４０に取付けた筆記具３０のペン先３１が回転プレート２０の回転中心に位置させて、小さい円を描けることができる。
【００５３】
円の作成については、上記実施形態で説明した場合と同様であるので、説明を省略する。以上のように、円作成具Ｃにおいても、移動体４０を案内溝６２に沿って移動させて筆記具３０を目的の円の半径に合わせる時に、透明板７２を、回転プレート２０の回転中心部から退避させる退避位置に移動させているものだから、筆記具３０を回転プレート２０の回転中心部にまで移動させることができ、小さい円を描くようにすることができる円作成具を提供することができる。
【００５４】
上記円作成具Ｂ、Ｃの実施形態では、蝶番２１、４７を介して透明板７１、７２を１８０度回転させて合致位置と退避位置に移動させるようにしたが、図示しないが、案内レールなどを用いて横にスライドさせて合致位置と退避位置に移動させるようにしてもよい。  
【００５５】
上記円作成具Ａ、Ｂ、Ｃの実施形態では、移動体４０の中心に筆記具３０を取付け、筆記具３０のペン先３１が回転プレート２０の回転中心から半径方向に移動させるようにしたものである。すなわち、移動体４０の中心が回転プレート２０の回転中心から半径方向に移動させるようにしたものであるが、移動体４０の移動を回転プレート２０の回転中心から半径方向への移動に対して平行移動するようにし、移動体４０の側面に取付けた筆記具３０が回転プレート２０の回転中心から半径方向へ移動させるようにしてもよい。
【００５６】
上記実施形態で説明した透明板７０、７１，７２は透明な板に、十字線を描いたマーク７０ａ、７１ａ，７２ａで説明したが、マークは×印、点印、多重丸印、を描いたようなものでもよい。また、透明板は、四角あるいは丸の枠の中に、十字に細い線を張ったようなものでもよく、要は中心位置を定めるようにしたものであればよい。
【００５７】
上記それぞれの円作成具Ａ、Ｂ、Ｃの実施形態では、一部の部材の材質をプラスチック、アクリル等の合成樹脂で形成したものとして説明したが、その他の部材の材質をプラスチック、アクリル等の合成樹脂で形成してもよい。また各部材の材質を金属で形成するようにしてもよい。
【００５８】
本考案の円作成具を製図用器具に取付て使用するようにすれば便利であり、特に小さい任意の大きさ円を描く場合に有用である。また、製図用だけでなく、材料を円に加工する際円を描く治具にも使用できる。
【符号の説明】
【００５９】
Ａ  円作成具
Ｂ  円作成具
Ｃ  円作成具
１０  外枠プレート
２０  回転プレート
３０  筆記具
４０  移動体
５０  穿設部
６０  案内溝
７０  透明板
７１  透明板
７２  透明板
７０ａ  マーク
７１ａ  マーク
７２ａ  マーク
（１）
【図１】
0003212327.tif 000003
【図２】
0003212327.tif 000004
【図３】
0003212327.tif 000005
【図４】
0003212327.tif 000006
【図５】
0003212327.tif 000007
【図６】
0003212327.tif 000008
【図７】
0003212327.tif 000009
【図８】
0003212327.tif 000010
【図９】
0003212327.tif 000011
【図１０】
0003212327.tif 000012
【図１１】
0003212327.tif 000013
【図１２】
0003212327.tif 000014
【図１３】
0003212327.tif 000015